(57)【特許請求の範囲】
【請求項１】
記録媒体に記録されている画像データを読み取る読み取り手段，
上記読み取り手段によって読み取られた画像データによって表される画像のサムネイル画像を表示するように表示装置を制御する第１の表示制御手段，
上記記録媒体に画像データを記録できるときに空き駒の画像を表示するように表示装置を制御する第２の表示制御手段，
所定角度の回転が可能なレバー，
上記レバーの回転に応じて，上記サムネイル画像または上記空き駒の画像を指定する指定手段，
上記指定手段により上記サムネイル画像が指定されたことにより再生モードに設定し，上記空き駒の画像が指定されたことにより撮像モードに設定するモード設定手段，
上記モード設定手段により撮像モードが設定されたことに応じて被写体を撮像し，被写体像を表す画像データを出力する撮像手段，
上記撮像手段から出力された画像データによって表される被写体像を表示するように表示装置を制御する第３の表示制御手段，
上記モード設定手段により再生モードが設定されている場合に，上記レバーの回転に応じて，再生駒を決定する再生駒決定手段，
上記再生駒決定手段により決定された再生駒の画像データを記録媒体から読み取り再生処理する再生手段，および
上記再生手段により再生された画像データによって表される画像を表示するように表示装置を制御する第４の表示制御手段，
を備えたディジタル・カメラ。
【請求項２】
上記再生駒決定手段は，上記指定手段により指定されたサムネイル画像を再生駒の画像と決定するものである，請求項１に記載のディジタル・カメラ。
【請求項３】
上記第１の表示制御手段は，
駒番号順で上記サムネイル画像を上記表示装置に表示するものである，
請求項１に記載のディジタル・カメラ。
【請求項４】
消去指令を与える消去ボタン，
上記レバーの回転に応じて上記複数駒のサムネイル画像のうちの一の駒を指定する第１の指定手段，および
上記消去ボタンの押下に応じて，上記第１の指定手段によって指定された駒の画像を表す画像データを上記記録媒体から消去する消去制御手段，
をさらに備えている請求項１に記載のディジタル・カメラ。
【請求項５】
上記消去制御手段により消去された画像データに対応するサムネイル画像の表示を空き駒表示にする第５の表示制御手段をさらに備えている，請求項４に記載のディジタル・カメラ。
【請求項６】
注文指令を与える注文ボタン，
上記レバーの回転に応じて上記複数駒のサムネイル画像のうち一の駒を指定する第２の指定手段，および
上記注文ボタンの押下に応じて，上記第２の指定手段によって指定された駒の画像の注文情報を上記記録媒体に記録する記録制御手段，
をさらに備えた請求項１に記載のディジタル・カメラ。
【請求項７】
記録媒体に記録されている画像データを読み取り，
読み取られた画像データによって表される画像のサムネイル画像を表示するように表示装置を制御し，
上記記録媒体に画像データを記録できるときに空き駒の画像を表示するように表示装置を制御し，
所定角度の回転が可能なレバーの回転に応じて，上記サムネイル画像または上記空き駒の画像を指定可能とし，
上記サムネイル画像が指定されたことにより再生モードに設定し，上記空き駒の画像が指定されたことにより撮像モードに設定し，
撮像モードが設定されたことに応じて被写体を撮像し，被写体像を表す画像データを得，
得られた画像データによって表される被写体像を表示し，
再生モードが設定されている場合に上記レバーの回転に応じて，再生駒を決定し，
決定した再生駒の画像データを記録媒体から読み取り，
読み取られた画像データによって表される画像を表示する，
ディジタル・カメラの動作制御方法。
【発明の詳細な説明】
【０００１】
【技術分野】
この発明は，ディジタル・カメラ（ディジタル・スチル・カメラ，ディジタル・ムービ・カメラ，携帯型情報機器にカメラの機能をもたせたものを含む）およびその動作制御方法に関する。
【０００２】
【発明の背景】
再生機能を有したディジタル・スチル・カメラにおいては，撮像モードと再生モードとの設定が可能である。モードを設定するために，ディジタル・カメラには，モード設定スイッチ等が設けられている。スイッチ等の操作に応じて撮像モードまたは再生モードが設定される。
【０００３】
撮像モードが設定されると，シャッタ・レリーズ・ボタンの押下に応じて被写体像を表す画像データがメモリ・カードなどの記録媒体に記録される。再生モードが設定されると，駒送りボタンまたは駒戻しボタンなどにより所望の駒が再生されるように駒を指定する。
【０００４】
しかしながら，レンズ付きフイルム，巻き上げレバーを操作することによりフイルムを巻き上げるカメラなど従来のカメラの操作に慣れたユーザにとっては，ディジタル・スチル・カメラにおける再生駒の指定などディジタル・スチル・カメラに特有の操作は，比較的面倒なものである。
【０００５】
【発明の開示】
この発明は，巻き上げレバーの操作など従来のカメラ等の操作に慣れたユーザであってもディジタル・カメラの操作を容易にすることを目的とする。
【０００６】
この発明によるディジタル・カメラは，所定角度の回転が可能なレバー，上記レバーの回転に応じて，撮像モードまたは再生モードを設定するモード設定手段，上記モード設定手段により撮像モードが設定されたことに応じて被写体を撮像し，被写体像を表す画像データを出力する撮像手段，上記撮像手段から出力された画像データによって表される被写体像を表示するように表示装置を制御する第１の表示制御手段，上記モード設定手段により再生モードが設定されている場合に，上記レバーの回転に応じて，再生駒を決定する再生駒決定手段，上記再生駒決定手段により決定された再生駒の画像データを記録媒体から読み取り再生処理する再生手段，および上記再生手段により再生された画像データによって表される画像を表示するように表示装置を制御する第２の表示制御手段を備えていることを特徴とする。
【０００７】
この発明は，上記ディジタル・カメラに適した動作制御方法も提供している。すなわち，この方法は，所定角度の回転が可能なレバーの回転に応じて，撮像モードまたは再生モードを設定し，撮像モードが設定されたことに応じて被写体を撮像し，被写体像を表す画像データを得，得られた画像データによって表される被写体像を表示し，再生モードが設定されている場合に上記レバーの回転に応じて，再生駒を決定し，決定した再生駒の画像データを記録媒体から読み取り，読み取られた画像データによって表される画像を表示するものである。
【０００８】
この発明によると，所定角度の回転が可能なレバー（所定角度の回転ができれば名称は問わず，ダイアルであってもよい）が設けられている。このレバーの回転に応じて撮像モードまたは再生モードが設定される。
【０００９】
撮像モードが設定されると，被写体が撮像され，被写体像を表す画像データが得られる。画像データによって表される被写体像が表示装置の表示画面上に表示される。シャッタ・レリーズ・ボタンが押されることにより，撮像された被写体像を表す画像データが記録媒体に記録されることとなる。
【００１０】
再生モードが設定されると，上記レバーの回転に応じて再生すべき駒が決定される。再生駒を表す画像データが記録媒体から読み取られ，所定の再生処理が行われる。再生された画像データによって表される画像が表示装置の表示画面上に表示される。
【００１１】
上記レバーを操作することにより，再生モードまたは撮像モードを設定することができる。さらに，上記レバーを操作することにより再生すべき駒の指定もできるようになる。このように上記レバーの操作によりモード設定ができるだけでなく，再生すべき駒の指定までもができるので，従来の巻き上げレバーの操作に慣れたユーザも操作が比較的簡単となる。
【００１２】
上記記録媒体に記録されている画像データを読み取る読み取り手段，上記読み取り手段によって読み取られた画像データによって表される画像のサムネイル画像を表示するように表示装置を制御する第３の表示制御手段，上記記録媒体に画像データを記録できるときに空き駒の画像を表示するように表示装置を制御する第４の表示制御手段，上記レバーの回転に応じて，上記サムネイル画像または上記空き駒の画像を指定する指定手段をさらに備えてもよい。この場合には，上記モード設定手段は，上記指定手段により上記サムネイル画像が指定されたことにより再生モードに設定し，上記空き駒の画像が指定されたことにより撮像モードに設定するものとなろう。
【００１３】
上記サムネイル画像を見ることにより，記録媒体に記録されている画像データによって表される画像の概要を把握できる。また，上記記録媒体に画像データを記録できるときには（必要に応じて，記録媒体に画像データを記録できるかどうかを判定する判定手段が設けられよう），空き駒が表示（たとえば，枠だけの空欄が表示される）されるので，その空き駒を見ることにより，その記録媒体に画像データを記録できることが分かる。また，空き駒が無いことを確認することにより，必要に応じて記録媒体を取り替えることができるようになる。
【００１４】
空き駒を指定することにより撮像モードの設定となり，サムネイル画像を指定することにより再生モードの設定となるので，ユーザがどのモードを設定したかを比較的簡単に確認できる。
【００１５】
上記再生駒決定手段は，上記指定手段により指定されたサムネイル画像を再生駒の画像を決定するものであってもよい。
【００１６】
上記第３の表示制御手段は，駒番号順で上記サムネイル画像を上記表示装置に表示することが好ましい。どの駒番号に対応して画像データを記録できるかわかる。
【００１７】
消去指令を与える消去ボタン，上記レバーの回転に応じて上記複数駒のサムネイル画像のうちの一の駒を指定する第１の指定手段，および上記消去ボタンの押下に応じて，上記第１の指定手段によって指定された駒の画像を表す画像データを上記記録媒体から消去する消去制御手段をさらに備えていることが好ましい。
【００１８】
所望の画像を表す画像データを記録媒体から消去できるようになる。しかも，消去する画像に対応するサムネイル画像は表示されているので，消去する画像の内容を確認しつつ，消去処理を実行できる。
【００１９】
上記消去制御手段により消去された画像データに対応するサムネイル画像の表示を空き駒表示にする第５の表示制御手段をさらに備えていることが好ましい。消去されたことを確認できるようになる。
【００２０】
注文指令を与える注文ボタン，上記レバーの回転に応じて上記複数駒のサムネイル画像のうち一の駒を指定する第２の指定手段，および上記注文ボタンの押下に応じて，上記第２の指定手段によって指定された駒の画像の注文情報を上記記録媒体に記録する記録制御手段をさらに備えてもよい。
【００２１】
所望の駒の注文情報（その駒の画像のプリントなどを示す情報）を上記記録媒体に記録できるので，上記記録媒体から上記注文情報を読み取り，画像のプリント処理などを実行できる。
【００２２】
【実施例の説明】
図１は，この発明の実施例を示すもので，ディジタル・スチル・カメラ１を背面から見た斜視図である。
【００２３】
ディジタル・スチル・カメラ１の上面において，背面から見て右端部にシャッタ・レリーズ・ボタン２が設けられている。
【００２４】
ディジタル・スチル・カメラ１の背面において，ほぼ中央部分に液晶表示画面３が設けられている。この液晶表示画面３の右側には，左右に回転可能なダイアル（レバー）４が設けられている。さらに，液晶表示画面３の下側には消去ボタン５および注文ボタン６が設けられている。
【００２５】
ディジタル・スチル・カメラ１の一方の側面（図１において奥側の側面であり，図１においては見えていない）には，メモリ・カードを着脱自在に装填するためのメモリ・カード挿入口が形成されている。後述するように，ディジタル・スチル・カメラ１に装填されるメモリ・カードは，充電池と一体となったものであり，充電池からディジタル・スチル・カメラ１の各回路に電源が供給される。
【００２６】
さらに，ディジタル・スチル・カメラ１は，撮像モードおよび再生モードの設定が可能である。ダイアル４を用いてモード設定が行われる。また，ダイアル４を用いて再生駒の指定等も可能である。これらの処理について詳しくは，後述する。
【００２７】
図２は，ディジタル・スチル・カメラ１の電気的構成を示すブロック図である。
【００２８】
ディジタル・スチル・カメラ１の動作は，メインＣＰＵ21によって統括される。
【００２９】
ダイアル４の操作を示す信号ならびに消去ボタン５，注文ボタン６およびシャッタ・レリーズ・ボタン２の押下を示す信号は，メインＣＰＵ21に入力する。
【００３０】
また，メインＣＰＵ21には各種データを記憶したEEPROM22が外付けされている。
【００３１】
ディジタル・スチル・カメラ１には，充電／発光制御回路24により制御されるストロボ25が含まれている。後述のように被写体を撮像することにより得られる画像データにもとづいて，ストロボ撮影するかどうかが，測光／測距ＣＰＵ17によって判断される。ストロボ撮影と判断されたことにより，測光／測距ＣＰＵ17によって充電／発光制御回路24が制御され，ストロボ25が発光することとなる。
【００３２】
上述したようにメモリ・カード31は，充電池32と一体型のものである。充電池32からの電源が電源回路28に与えられ，電源回路28からディジタル・スチル・カメラ１を構成する各回路に電源が供給されることとなる。
【００３３】
測光／測距ＣＰＵ17によってフォーカス・レンズ11のフォーカシング制御および絞り12の絞り制御が行われる。また，この測光／測距ＣＰＵ17によってＣＧ（クロック・ジェネレータ）18が制御される。ＣＧ18から各種クロック・パルスが出力され，ＣＣＤ13，白バランス／ガンマ処理回路14，アナログ／ディジタル変換回路15等に与えられる。
【００３４】
ダイアル４によって撮像モードが設定されると，フォーカス・レンズ11によって被写体像がＣＣＤ13の受光面上に結像する。ＣＣＤ13から被写体像を表す映像信号が出力され，白バランス／ガンマ処理回路14に入力する。映像信号は，白バランス／ガンマ処理回路14において，白バランス調整され，かつガンマ処理が行われる。
【００３５】
白バランス／ガンマ処理回路14から出力された映像信号は，アナログ／ディジタル変換回路15においてディジタル画像データに変換される。ディジタル画像データは，バッファ・メモリ16およびＹＣ／ＲＧＢ変換回路26を単に通過してドライバ27に与えられる。ドライバ27によって液晶表示装置３（液晶表示画面と同じ符号を用いる）に与えられる。撮像により得られた被写体像が液晶表示装置３の表示画面上に表示される。
【００３６】
撮像モードにおいてシャッタ・レリーズ・ボタン２が押されると，上述のようにしてアナログ／ディジタル変換回路15から出力された画像データは，バッファ・メモリ16に一時的に記憶される。画像データは，バッファ・メモリ16から読み出され，ＹＣ処理回路19において輝度データおよび色差データが生成される。生成された輝度データおよび色差データは，圧縮／伸長回路20においてデータ圧縮される。圧縮された輝度データおよび色差データがインターフェイス・バッファ23を介してメモリ・カード31に与えられ，記録される。
【００３７】
ダイアル４によって再生モードが設定されると，メモリ・カード31に記録されている圧縮された輝度データおよび色差データが読み出され，インターフェイス・バッファ23を介して圧縮／伸長回路20に与えられる。圧縮された輝度データおよび色差データは，圧縮／伸長回路20においてデータ伸長される。伸長された輝度データおよび色差データは，ＹＣ／ＲＧＢ変換回路26においてＲＧＢ画像データに変換され，ドライバ27に与えられる。メモリ・カード31に記録されている画像データによって表される画像が液晶表示装置３の表示画面に表示されることとなる。
【００３８】
図３は，メモリ・カード31のデータ構造を示している。
【００３９】
メモリ・カード31には，管理領域およびデータ記録領域が含まれている。
【００４０】
管理領域には，メモリ・カード31の管理データが記録されている。
【００４１】
データ記録領域には，サムネイル画像データ記録領域，画像データ記録領域および注文データ記録領域が含まれている。画像データ記録領域には，上述のようにして，被写体を撮像することにより得られた画像データ（本画像を表す本願データという）が記録される。サムネイル画像データ記録領域には，画像データ記録領域に記録されている本画像データによって表される本画像に対応するサムネイル画像を表すサムネイル画像データが記録される。注文データ記録領域には，画像の注文情報（画像のプリント枚数を表す注文画像数など）を表すデータが各画像に対応して記録される。もっともサムネイル画像データは本画像データに付随してもよい。
【００４２】
図４（Ａ）は，ディジタル・スチル・カメラ１の電源をオンする処理を示すフローチャート，図４（Ｂ）は，図４（Ａ）のサブ・ルーチンである。
【００４３】
この実施例においては，上述のようにダイアル４の操作によりディジタル・スチル・カメラ１の電源をオンできる。この電源オンの処理プログラムは，ディジタル・スチル・カメラ１の工場の出荷時にインストールされている。
【００４４】
ディジタル・スチル・カメラ１のダイアル４がユーザによって回転させられると（右方向，左方向のいずれの方向あってもよい）（ステップ42でＹＥＳ），カメラ１の電源がすでにオンされているかどうかが確認される（ステップ43）。カメラ１の電源がオフであれば（ステップ43でＮＯ），電源オン処理のサブ・ルーチンが実行される（ステップ44）。カメラ１の電源がすでにオンとなっていると（ステップ43でＹＥＳ），ステップ44の処理は，スキップされる。
【００４５】
また，シャッタ・レリーズ・ボタン２の押下を許可するレリーズ許可フラグがセットされる（ステップ45）。
【００４６】
図４（Ｂ）を参照して，電源がオフのときにダイアル４の回転を検出すると，電源がオンされ，ディジタル・スチル・カメラ１の各回路に電源が供給される（ステップ50）。
【００４７】
ディジタル・スチル・カメラ１に装填されているメモリ・カード31に記録されている管理データおよびサムネイル画像データが読み取られる（ステップ51，52）。また，液晶表示画面３には，フイルム枠が表示される（ステップ53）。このフイルム枠内に，メモリ・カード31から読み取られたサムネイル画像データによって表されるサムネイル画像が表示される（ステップ54）。
【００４８】
図５は，ディジタル・スチル・カメラ１の液晶表示画面３に表示される画像の一例である。
【００４９】
液晶表示画面３の上部に上述したフイルム枠61が表示される。このフイルム枠61は，現像された写真フイルムとほぼ同じ形状をしている。フイルム枠61は，複数の枠を有しており，この複数の枠（サムネイル画像枠69という）内のそれぞれに上述したサムネイル画像が駒番号順に表示される。サムネイル画像上には，駒番号も表示されている。駒番号を表示しなくともよいのはいうまでもない。
【００５０】
フイルム枠61内の所定のサムネイル画像枠69を囲むように指示枠62が表示されている。この指示枠62は，ダイアル４の回転方向に応じて，現在囲んでいるサムネイル画像枠69の左または右に隣接するサムネイル画像枠69を囲む。
【００５１】
フイルム枠61の下には，液晶表示画面３のほぼ全体にわたって画像表示領域66が形成されている。この画像表示領域66に撮像によって得られた被写体像または指示枠62によって囲まれているサムネイル画像に対応する本画像が表示される。
【００５２】
画像表示領域66の右上部には，メモリ・カード31の残枚数を表示する領域63が表示されている。残枚数表示領域63の下には，モード表示領域64が表示されている。撮像モードが設定されているときには，モード表示領域64には「写す」という文字が表示され，再生モードが設定されているときに「再生」という文字が表示される。さらに，モード表示領域64の下には，充電池の残容量を電池の長さにより表わす領域65が表示されている。充電池の残容量が少なくなることに応じて，電池の長さが短く表示される。
【００５３】
図６は，ディジタル・スチル・カメラ１における撮像等の処理手順を示すフローチャートである。図７は，ディジタル・スチル・カメラ１のサブ・ルーチンである。図８から図13は，液晶表示画面３に表示される画像の一例を示している。
【００５４】
ダイアル４が回転させられると（ステップ71でＹＥＳ），その回転方向にフイルム枠61全体がサムネイル画像枠69の１駒分だけ移動する（ステップ72）。すなわち，指示枠62は移動しない。もっとも，ダイアル４の回転に対応して指示枠62を移動してフイルム枠61を固定としてもよいのはいうまでもない。
【００５５】
ダイアル４の回転に応じてフイルム枠61が移動した結果指示枠62内にサムネイル画像があるかどうかが判断される（ステップ73）。サムネイル画像があれば（ステップ73でＹＥＳ），指示枠62によって囲まれたサムネイル画像に対応する本画像を表す本画像データがメモリ・カード31から読み取られる（再生モード）。読み取られた本画像データによって表される本画像が画像表示領域66内に表示される（ステップ74）。また，再生されている画像データの上書きを禁止するためにレリーズ許可フラグがリセットされる（ステップ75）。
【００５６】
指示枠62内にサムネイル画像が無ければ（ステップ73でＮＯ），その指示枠62が囲んでいるサムネイル画像枠内の駒番号に対応した本画像データは，メモリ・カード31に記録されていないと判断される（撮像モード）。このために，その駒番号に対応して本画像データをメモリ・カード31に記録できるようにシャッタ・レリーズ・ボタン２の押下を許可するレリーズ許可フラグがセットされる（ステップ76）。
【００５７】
上述したようにディジタル・スチル・カメラ１の電源がオンとなると，液晶表示画面３には，図５に示すような画像が表示される。この状態で，ダイアル４が左方向に回転させられるとフイルム枠61の全体がサムネイル画像枠69の１駒分左方向に移動する。すると，液晶表示画面３には図８に示す画像が表示されることとなる。
【００５８】
フイルム枠61が左方向に移動すると，指示枠62は４番目の駒番号をもつ空き画像を囲んでいたものが３番目の駒番号をもつサムネイル画像を囲むようになる。すると，この３番目の駒番号をもつサムネイル画像に対応する本画像を表す本画像データがメモリ・カード31から読み出される。３駒目の駒番号をもつ本画像が画像表示領域33に表示されることとなる。また，再生モードとなったことが分かるようにモード表示領域64に「再生」の文字が表示されることとなる。
【００５９】
ダイアル４の回転がないと必要に応じてシャッタ・レリーズ・ボタン２の押下に応答して所定の撮影処理が行われる（ステップ77）。
【００６０】
図７は，撮影処理手順を示すフローチャートである。
【００６１】
シャッタ・レリーズ・ボタン２が押されると（ステップ91でＹＥＳ），指示枠62によって囲まれているサムネイル画像または空き画像の駒番号に対応するレリーズ許可フラグがセットされているかどうかが判断される（ステップ92）。
【００６２】
レリーズ許可フラグがセットされていると（ステップ92でＹＥＳ），指示枠62は空き画像を囲んでいると見なすことができる。その空き画像に対応する駒番号をもつ本画像データは，メモリ・カード31には記録されていないことが分かる。このために，その空き画像に対応する駒番号をもつ本画像データの記録ができるようになる。本画像データが記録されたときには，記録された本画像データの駒番号と同じ駒番号にはさらに本画像データを記録することはできない。このために，本画像データの記録に対応する駒番号に対応してあらかじめレリーズ許可フラグがリセットされる（ステップ93）。
【００６３】
その後，被写体が撮像され，被写体像を表す画像データが本画像データとしてメモリ・カード31に記録される（ステップ94）。メモリ・カード31に記録された本画像データからサムネイル画像データが生成され，そのサムネイル画像データによって表されるサムネイル画像が指示枠62によって囲まれているサムネイル画像枠69内に表示されることとなる（ステップ95）。また，本画像データによって表される本画像が画像表示領域66内に表示されることとなる。
【００６４】
たとえば，液晶表示画面３が図５に示す状態のときに，シャッタ・レリーズ・ボタン２が押されると，液晶表示画面３は，図９に示すようになる。指示枠62内には，撮像により得られた本画像のサムネイル画像が表示され，画像表示領域66内には本画像が表示される。また，本画像データの記録によりメモリ・カード31に記録できる枚数が１枚減少したので，残枚数表示領域63の残枚数表示がデクレメントされる。
【００６５】
次の本画像の記録をするときには，ダイアル４を左回転させる。これにより，指示枠62は，第５番目の駒番号の空き画像を囲むようになる。第５番目の駒番号に対応する本画像として本画像データをメモリ・カード31に記録できるようになる。
【００６６】
図６を参照して，ユーザによって消去ボタン５が押されると（ステップ78でＹＥＳ），指示枠62内にサムネイル画像があるかどうかが確認される（ステップ79）。指示枠62内にサムネイル画像があると（ステップ79でＹＥＳ），そのサムネイル画像に対応する本画像データがメモリ・カード31に記録されていることとなる。レリーズ許可フラグはリセットされる（ステップ80）。消去指令に応じて，指示枠62で囲まれたサムネイル画像に対応する本画像データがメモリ・カード31から消去される（ステップ81）。
【００６７】
さらに，消去された本画像に対応するサムネイル画像がサムネイル画像枠69から消去される。これにより，指示枠62によって囲まれているサムネイル画像枠69内は空き駒となる（ステップ82）。本画像データの消去により，消去した本画像データの駒番号に対応して新たな本画像データを記録できるようになるので，その駒番号に対応してレリーズ許可フラグがセットされる（ステップ83）。
【００６８】
たとえば，液晶表示画面３に図９に示す画像が表示されているときに，駒番号３のサムネイル画像が指示枠62で囲まれ，かつ消去ボタン５が押されたものとする。すると，液晶表示画面３は，図11で示すように指示枠３で囲まれたサムネイル画像枠60内のサムネイル画像が消去されることとなる。また，画像表示領域66にも駒番号をもつ本画像は表示されないようになる。
【００６９】
注文ボタン６が押されると（ステップ84でＹＥＳ），指示枠62で囲まれているサムネイル画像枠69内にサムネイル画像があるかどうかが判断される（ステップ85）。サムネイル画像があると（ステップ85でＹＥＳ），そのサムネイル画像に対応する本画像のプリント注文指令があったものと見なされる。指示枠で囲まれたサムネイル画像に対応する本画像の注文枚数が１枚として注文情報が生成される（ステップ86）。注文ボタン６がさらに押されることにより，注文枚数が増えていく。一定時間内に注文ボタン６が２回押されると，注文情報がリセットされる。もちろん，注文キャンセル・ボタンをディジタル・スチル・カメラ１に設けるようにしてもよいのはいうまでもない。
【００７０】
生成された注文情報は，上述したようにメモリ・カード31の注文データ記録領域に，駒番号に対応して記録される。さらに，対応するサムネイル画像上に注文済のマークが表示される（ステップ87）。また注文用に現在再生されている画像データの上書きを禁止するためにレリーズ許可フラグがリセットされる（ステップ88）。
【００７１】
たとえば，液晶表示画面３に図12に示す画像が表示されているものとする。この状態で，注文ボタン６が押されると，４駒目の駒番号の注文指令が与えられたこととなる。注文ボタンが押さると，液晶表示画面３には画像表示領域66の右側に注文枚数表示領域67が現れる。この注文枚数表示領域67に注文ボタン６の押下に応じた注文枚数が表示されることとなる。さらに，図13に示すように注文された本画像に対応するサムネイル画像に，注文済を示すプリンタ・マーク68が表示されるようになる。このプリンタ・マーク68を見ることにより，ユーザは，そのサムネイル画像に対応する本画像がプリント注文されていることが分かる。好ましくは，注文枚数もサムネイル画像上に表示されることとなろう。注文されていることだけでなく，注文枚数も確認できる。
【００７２】
このようにしてメモリ・カード31に画像データおよび注文情報が記録されると，ユーザは，そのメモリ・カード31をラボラトリにもっていく。ラボラトリにおいて，メモリ・カード31から画像データを読み取り，注文情報にしたがって本画像がプリントされることとなる。
【００７３】
ラボラトリにメモリ・カード31を渡してプリントされると，ラボラトリにおいて充電池32が充電された新しいメモリ・カードと交換される。ユーザは，充電池32を充電する必要がなく，充電池を交換する必要もない。
【図面の簡単な説明】
【図１】ディジタル・スチル・カメラを背面から見た斜視図である。
【図２】ディジタル・スチル・カメラの電気的構成を示すブロック図である。
【図３】メモリ・カードのデータ構造を示している。
【図４】（Ａ）および（Ｂ）は，電源オンの処理を示すフローチャートである。
【図５】液晶表示画面に表示される画像の一例である。
【図６】ディジタル・スチル・カメラの処理手順を示すフローチャートである。
【図７】撮影処理手順を示すフローチャートである。
【図８】液晶表示画面に表示される画像の一例である。
【図９】液晶表示画面に表示される画像の一例である。
【図１０】液晶表示画面に表示される画像の一例である。
【図１１】液晶表示画面に表示される画像の一例である。
【図１２】液晶表示画面に表示される画像の一例である。
【図１３】液晶表示画面に表示される画像の一例である。
【符号の説明】
１  ディジタル・スチル・カメラ
３  液晶表示装置
４  ダイアル
５  消去ボタン
６  注文ボタン
21  メインＣＰＵ
31  メモリ・カード
61  フイルム枠
62  指示枠
【図１】
0003914705.tif 000002
【図２】
0003914705.tif 000003
【図３】
0003914705.tif 000004
【図４】
0003914705.tif 000005
【図５】
0003914705.tif 000006
【図６】
0003914705.tif 000007
【図７】
0003914705.tif 000008
【図８】
0003914705.tif 000009
【図９】
0003914705.tif 000010
【図１０】
0003914705.tif 000011
【図１１】
0003914705.tif 000012
【図１２】
0003914705.tif 000013
【図１３】
0003914705.tif 000014